(57)【特許請求の範囲】
【請求項１】
時間経過に伴って変化する現象の分布を地図に重ねて画像表示してある現象画像が前記現象の出現時刻と共に端末装置の表示画面に前記現象の出現時刻順に表示されるように、前記現象画像を前記端末装置に送信する画像送信システムであって、
前記現象の出現時刻を示す時刻目印が、前記表示画面の表示領域中の位置であって、前記現象画像の画像領域又は前記表示画面の表示領域を文字板と見なす仮想のアナログ表示式時計の指針が前記出現時刻を指しているときの当該指針が指している位置に表示されるように、かつ、前記時刻目印が前記出現時刻に合わせて前記画像領域の周辺部又は前記表示領域の周辺部に沿って移動しながら表示されるように、前記現象画像を前記端末装置に送信する画像送信システム。
【発明の詳細な説明】
【技術分野】
【０００１】
本発明は、時間経過に伴って変化する現象の分布を地図に重ねて画像表示してある現象画像が前記現象の出現時刻と共に端末装置の表示画面に前記現象の出現時刻順に表示されるように、前記現象画像を前記端末装置に送信する画像送信システムに関する。
【背景技術】
【０００２】
上記画像送信システムは、時間経過に伴って変化する現象を画像表示してある現象画像が端末装置の表示画面に現象の出現時刻順に表示されるように、現象画像を端末装置に送信することができる。
このため、端末装置の表示画面に表示された現象画像を見ている人は現象が変化する様子を理解し易い。
【０００３】
非特許文献１は、従来の画像送信システムを運用するウエブサイトを示し、一時間当たりの降水量分布を地図上に画像表示してある降水量分布図画像がコンピューター装置の表示画面に降水量分布の出現時刻順に表示されるように、降水量分布図画像をインターネットを介してコンピューター装置に送信することができる。
降水量分布図画像が、時間経過に伴って変化する現象（降水量分布）を画像表示してある現象画像に相当する。
【０００４】
この画像送信システムでは、降水量分布の出現時刻を文字で示す文字画像が降水量分布と共に表示される降水量分布図画像と、降水量分布図画像の動画表示の開始を指示する自動再生ボタンと、現在表示されている降水量分布の出現時刻を指し示す時刻指標とが表示画面に表示される。
【０００５】
自動再生ボタンをクリックすると、時刻指標が「動画表示開始時において表示される降水量分布の出現時刻」に対応する位置から「動画表示終了時において表示される降水量分布の出現時刻」に対応する位置に向けて直線的に移動する。
時刻指標の移動経路には時刻目盛りが表示されている。
【０００６】
この画像送信システムにおいて、降水量分布が変化する様子を出現時刻に関連付けて理解できるように、現在表示されている降水量分布の出現時刻を読み取る方法について説明する。
【０００７】
このような出現時刻の読み取り方法として、現在表示されている降水量分布図画像に表示された文字画像から読み取る方法と、降水量分布図画像が出現時刻順に表示されるに伴って移動する時刻指標が指し示している時刻目盛りから読み取る方法とがある。
【０００８】
出現時刻を文字画像から読み取る方法は自明であるので、出現時刻を時刻指標が指し示している時刻目盛りから読み取る方法について説明する。
自動再生ボタンをクリックすると降水量分布図画像が降水量分布の出現時刻順に表示され、同時に、時刻指標の「動画表示開始時において表示される降水量分布の出現時刻」に対応する位置から「動画表示終了時において表示される降水量分布の出現時刻」に対応する位置に向けた直線的な移動を開始する。
【０００９】
そして、時刻指標が移動している途中のタイミングで、その時刻指標が指し示している時刻目盛りから「現在表示されている降水量分布の出現時刻」を読み取ることができる。
【先行技術文献】
【非特許文献】
【００１０】
【非特許文献１】ＮＨＫニュース：気象災害情報｜データマップ、［online］、［平成２９年７月１２日検索］、インターネット＜URL：http://www3.nhk.or.jp/weather/rain/radar.html＞
【発明の概要】
【発明が解決しようとする課題】
【００１１】
降水量分布図画像に表示された文字画像から出現時刻を読み取る場合は、表示画面に表示される降水量分布図画像を見ている人は、現在表示されている降水量分布図画像が次に表示される降水量分布図画像に変わらないうちに出現時刻を読み取る必要がある。
【００１２】
時刻指標が指し示している時刻目盛りから出現時刻を読み取る場合は、表示画面に表示される降水量分布図画像を見ている人は、現在表示されている降水量分布図画像が次に表示される降水量分布図画像に変わらないうちに、時刻指標が指し示している時刻目盛りから出現時刻を読み取る必要がある。
【００１３】
このため、出現時刻順に表示される降水量分布の出現時刻を逐一読み取るためには、いずれの場合でも、降水量分布図画像が出現時刻順に表示されるタイミングに合わせて、降水量分布を見る目線と、文字画像又は時刻指標が指し示している時刻目盛りを見る目線とに目線を頻繁に切り替えながら、出現時刻を素早く読み取る必要がある。
【００１４】
しかしながら、降水量分布図画像が出現時刻順に表示されるタイミングに合わせて目線を頻繁に切り替えながら、出現時刻を素早く読み取るような煩雑な動作は実際には実行し難く、降水量分布が変化する様子を出現時刻に関連付けて理解し難いのが実情である。
【００１５】
本発明は、表示画面に出現時刻順に表示される現象画像を見ている人が、現象が変化する様子を出現時刻に関連付けて理解し易い画像送信システムを提供することを目的とする。
【課題を解決するための手段】
【００１６】
本発明による画像送信システムの特徴構成は、時間経過に伴って変化する現象の分布を地図に重ねて画像表示してある現象画像が前記現象の出現時刻と共に端末装置の表示画面に前記現象の出現時刻順に表示されるように、前記現象画像を前記端末装置に送信する画像送信システムであって、前記現象の出現時刻を示す時刻目印が、前記表示画面の表示領域中の位置であって、前記現象画像の画像領域又は前記表示画面の表示領域を文字板と見なす仮想のアナログ表示式時計の指針が前記出現時刻を指しているときの当該指針が指している位置に表示されるように、前記現象画像を前記端末装置に送信する点にある。
【００１７】
本発明による画像送信システムは、前記時刻目印が前記出現時刻に合わせて前記画像領域の周辺部又は前記表示領域の周辺部に沿って移動しながら表示されるように、前記現象画像を前記端末装置に送信する。
【発明の効果】
【００１８】
本発明による画像送信システムは、現象画像が端末装置の表示画面に現象の出現時刻順に表示され、かつ、現象の出現時刻を示す時刻目印が表示画面の表示領域中の位置に表示されるように、現象画像を端末装置に送信することができる。
【００１９】
そして、時刻目印を表示画面の表示領域中の位置に表示するにあたって、時刻目印が、現象画像の画像領域又は表示画面の表示領域を文字板と見なす仮想のアナログ表示式時計の指針が出現時刻を指しているときの当該指針が指している位置に表示されるように、現象画像を端末装置に送信することができる。
【００２０】
つまり、現象の出現時刻を示す時刻目印を、現象画像が出現時刻順に表示されるに伴って、出現時刻に合わせて時計の指針で指し示すように時計回りに移動させながら表示画面に表示することができる。
【００２１】
このため、表示画面に出現時刻順に表示される現象画像を見ている人は、出現時刻に合わせて時計の指針で指し示すように移動しながら表示される時刻目印の位置を特に目線を変えることなく現象画像を見ながら察知して、その現象画像が表示している現象の出現時刻を、時計を見るのと同様の感覚で直感的に素早く読み取り易い。
【００２２】
その上、アナログ表示式時計の文字板を現象画像の画像領域又は表示画面の表示領域に重ねて表示するのではなく、現象画像の画像領域又は表示画面の表示領域を文字板と見なす仮想のアナログ表示式時計の指針が出現時刻を指しているときの当該指針が指している位置に時刻目印が表示されるように、現象画像を端末装置に送信するので、表示画面に表示された現象画像が文字板で遮られるおそれがない。
【００２３】
したがって、表示画面に出現時刻順に表示される現象画像を見ている人は、その現象画像を見ている目線を頻繁に切り替えたり、現象画像が変わらないうちに現在表示されている現象の出現時刻を素早く読み取るような煩雑な動作を伴うことなく、現象画像を見ながら察知した時刻目印の位置から出現時刻を直感的に素早く読み取って、現象が変化する様子を出現時刻に関連付けて理解し易い。
また、表示画面に表示された現象画像が文字板で遮られて見にくくなるおそれがなく、現象画像の視認性が低下し難い。
【００２４】
本発明による画像送信システムは、時刻目印が出現時刻に合わせて画像領域の周辺部又は表示領域の周辺部に沿って移動しながら表示されるように、現象画像を端末装置に送信することができる。
この場合、現象画像が出現時刻順に表示されるに伴って、時刻目印が出現時刻に合わせて画像領域の周辺部又は表示領域の周辺部を時計周りに移動するように表示されるので、時刻目印が現象画像を見る際の邪魔になりにくい。
【００２５】
また、時刻目印を出現時刻に合わせて画像領域の周辺部又は表示領域の周辺部に沿った長い距離を大きく移動するように表示できるので、時刻目印の位置を一層察知し易い。
【００２６】
人が画像を見るときの見え方には中心視と周辺視があることが知られている。中心視は、網膜の中心部を使って凝視する見え方で画像の注目箇所を正確に捉えるのに適している。周辺視は、網膜の周辺部を使って漠然と見る見え方で画像の周辺部の動きを捉えるのに適している。
【００２７】
したがって、現象画像の画像領域の周辺部又は表示画面の表示領域の周辺部に時刻目印が表示されると、現象画像の注目箇所を中心視で正確に捉えながら、出現時刻に合わせて時計回りに移動するように表示される時刻目印の位置を周辺視で察知し易い。
【図面の簡単な説明】
【００２８】
【図１】画像送信システムの概略構成を示すブロック図である。
【図２】テレビ受像機の表示画面に表示された実施例１の送信用画像の説明図である。
【図３】現象の出現時刻順に送信される実施例１の送信用画像の説明図である。
【図４】実施例１の送信用画像とその作成方法を示す説明図である。
【図５】実施例２の送信用画像とその作成方法を示す説明図である。
【図６】実施例３の送信用画像とその作成方法を示す説明図である。
【図７】実施例４の送信用画像とその作成方法を示す説明図である。
【図８】実施例５の送信用画像を示す説明図である。
【図９】テレビ受像機の表示画面に表示された実施例６の送信用画像の説明図である。
【図１０】実施例６の送信用画像とその作成方法を示す説明図である。
【発明を実施するための形態】
【００２９】
以下に、本発明の実施の形態を図面に基づいて説明する。
【実施例１】
【００３０】
図１〜図４は、本発明の［実施例１］を示す。
本実施例では、現象画像として、時間経過に伴って変化する現象の一例である気圧配置を地図に重ねて画像表示してある天気図画像Ａを例示し、端末装置として、テレビ受像機１を例示する。
【００３１】
図１は本発明に係る画像送信システム２の概略構成を示すブロック図、図２はテレビ受像機１の表示画面1aに表示された送信用画像Ｃの説明図、図３は気圧配置の出現時刻順に送信される複数の送信用画像Ｃ(C1，C2，C3，C4)の説明図、図４は送信用画像Ｃとその作成方法を示す説明図である。
【００３２】
画像送信システム２は、図１〜図３に例示するように、天気図画像Ａがテレビ受像機１の表示画面1aに気圧配置の出現時刻順に表示画面1aと同じ大きさで表示され、かつ、表示画面1aの表示領域1b中の周辺部の位置に出現時刻(図２では午後９時)を示す時刻目印３が表示されるように、天気図画像Ａの複数をテレビ受像機１に無線送信する番組放送装置４を備えている。
【００３３】
番組放送装置４は、図１に例示するように、テレビ受像機１に送信される送信用画像Ｃを作成する画像作成部５と、送信用画像Ｃの放送信号Ｓを生成する信号生成部６と、生成した放送信号Ｓをテレビ受像機１に送信する画像送信部７と、これら各部の作動を制御する制御部８とを備えている。
【００３４】
画像作成部５は、天気図画像サーバ5aと目印画像サーバ5bと画像合成部5cとを備え、図２〜図４に例示するように、天気図画像Ａがテレビ受像機１の表示画面1aの全面に気圧配置の出現時刻順に表示され、かつ、表示画面1aの表示領域1b中の周辺部の位置に出現時刻を示す時刻目印３が表示されるように、天気図画像Ａをテレビ受像機１に送信する出現時刻毎の送信用画像Ｃ(C1，C2，C3，C4)を作成する。
【００３５】
送信用画像Ｃの作成方法を説明する。
天気図画像サーバ5aには出現時刻毎に対応して作成した複数の天気図画像Ａを格納してある。
各天気図画像Ａには、一定時間間隔で設定してある出現時刻毎に対応する気圧配置が地図に重ねてその出現日時を文字で示す文字画像a1と共に予め画像表示されている。
【００３６】
具体的には、天気図画像Ａは、例えば午後９時０分という特定時刻の０分から開始して、午後１０時０分、午後１１時０分というように１時間が経過する毎に設定した出現時刻の各々における気圧配置とその出現日時を示す文字画像a1とを表示している。
【００３７】
目印画像サーバ5bには、気圧配置の出現時刻を示す時刻目印３が表示された複数の目印画像Ｂを格納してある。
各目印画像Ｂは、天気図画像Ａと同じ一定時間間隔で設定してある出現時刻毎に対応して予め作成されている。
【００３８】
本実施例では、図２に例示するように１時間間隔で設定された出現時刻毎の天気図画像Ａが表示画面1aの全面に表示されるので、目印画像Ｂは、図４に例示するように、表示画面1aの表示領域1bに相当する領域中の位置であって、天気図画像Ａの画像領域a2(表示画面1aの表示領域1b)の全体を文字板と見なす仮想のアナログ表示式時計９の指針である時針9aと分針9bが出現時刻を指しているときの当該時針9aが指している位置に相当する周辺部の位置にのみ、時刻目印３を表示してある。
【００３９】
具体的には、各目印画像Ｂは、仮想のアナログ表示式時計９の時針9aと分針9bが午前０時０分から開始して、午前１時０分、午前２時０分というように１時間間隔の時刻を指しているときの時針9aが指している位置に相当する位置に、時針9aが指している方向に沿って真っ直ぐな棒状の時刻目印３を表示してある。
【００４０】
画像合成部5cは、図４に例示するように、天気図画像Ａを天気図画像サーバ5aから取得するとともに、取得した天気図画像Ａが示す気圧配置の出現時刻に対応する目印画像Ｂを目印画像サーバ5bから取得し、取得した天気図画像Ａと目印画像Ｂとを合成して出現時刻毎の送信用画像Ｃ(C1，C2，C3，C4)を作成する。
【００４１】
送信用画像Ｃは、天気図画像Ａと目印画像Ｂとの合成により、仮想のアナログ表示式時計９の時針9aが対応する出現時刻を指している位置で時刻目印３が天気図画像Ａの画像領域a2の周辺部に重ねて表示されるように作成される。
【００４２】
信号生成部６は、作成した送信用画像Ｃの放送信号Ｓを生成し、画像送信部７は生成された放送信号Ｓを、複数の天気図画像Ａが気圧配置の出現時刻順にコマ送り形式で表示画面1aに表示されるように、出現時刻順にテレビ受像機１に送信する。
【００４３】
したがって、図３に示すように、送信用画像Ｃ(C1，C2，C3，C4)の複数を気圧配置の出現時刻順にテレビ受像機１に送信することにより、図２に示すように、天気図画像Ａが気圧配置の出現時刻順に表示画面1aに表示される。
【００４４】
つまり、図２，図３に示すように、テレビ受像機１の表示画面1aに天気図画像Ａが出現時刻順に表示され、かつ、表示画面1aの表示領域1b中の位置であって、画像領域a2(表示領域1b)の全体を文字板と見なす仮想のアナログ表示式時計９の時針9aと分針9bが出現時刻を指しているときの当該時針9aが指している位置に時刻目印３が表示される。
【００４５】
ちなみに、図３において、送信用画像C1は午後９時０分の出現時刻を示す時刻目印３が表示されるように天気図画像Ａを送信する画像、送信用画像C2は午後１０時０分の出現時刻を示す時刻目印３が表示されるように天気図画像Ａを送信する画像、送信用画像C3は午後１１時０分の出現時刻を示す時刻目印３が表示されるように天気図画像Ａを送信する画像、送信用画像C4は午前０時０分の出現時刻を示す時刻目印３が表示されるように天気図画像Ａを送信する画像である。
【００４６】
図４に例示する送信用画像Ｃは、出現時刻が午後９時０分の気圧配置とその出現日時を示す文字画像a1とを表示している天気図画像Ａと、仮想のアナログ表示式時計９の時針9aと分針9bが午後９時０分を指しているときの時針9aが指している位置に相当する位置に時刻目印３を表示している目印画像Ｂとを合成することにより、午後９時０分の出現時刻に対応して作成されている。
【００４７】
本実施例では、仮想の時針9aが指している位置にのみ時刻目印３を表示するので、出現時刻を一時間単位で簡潔に表示することができる。
また、時刻目印３が仮想の時針9aと分針9bの各々が指している位置に表示される場合に比べて、表示画面1aに表示された天気図画像Ａを見る際に時刻目印３が邪魔になりにくい。
【００４８】
本実施例において、図示しないが、画像作成部５で作成した送信用画像Ｃ(C1，C2，C3，C4)を格納しておく送信用画像サーバを設け、その送信用画像サーバから必要に応じて取得した送信用画像Ｃ(C1，C2，C3，C4)の複数を気圧配置の出現時刻順にテレビ受像機１に送信する形態で実施してもよい。
【００４９】
本実施例では、気圧配置の出現時刻を示す時刻目印３に加えて、気圧配置の出現日時を文字で示す文字画像a1が天気図画像Ａに表示されるが、このような文字画像a1の表示を省略してもよい。
なお、図２，図４には仮想のアナログ表示式時計９を説明の便宜上仮想線で記入してあり、天気図画像Ａやテレビ受像機１の表示画面1aに表示されるものではない。
【実施例２】
【００５０】
図５は本発明の［実施例２］を示す。
本実施例では、仮想のアナログ表示式時計９の文字板と見なす天気図画像Ａの画像領域a2(表示画面1aの表示領域1b)に相当する領域の周辺部に時字(アワーマーク)3dを表示してある目印画像Ｂを用いて送信用画像Ｃを作成してある。
【００５１】
このため、送信用画像Ｃを気圧配置の出現時刻順に送信することにより、テレビ受像機１の表示画面1aに天気図画像Ａが出現時刻順に表示され、かつ、画像領域a2(表示領域1b)の周辺部に時刻目印３と時字3dが表示されるので、出現時刻を正確に察知し易い。
その他の構成は実施例１と同様である。
【実施例３】
【００５２】
図６は本発明の［実施例３］を示す。
本実施例では、テレビ受像機１の表示画面1aの表示領域1b中の位置であって、天気図画像Ａの画像領域a2(表示画面1aの表示領域1b)の全体を文字板と見なす仮想のアナログ表示式時計９の時針9aと分針9bとが出現時刻を指しているときの当該時針9aと分針9bとが指している位置の各々に時刻目印３(3a,3b)が表示されるように、テレビ受像機１に送信される送信用画像Ｃを示している。
【００５３】
天気図画像サーバ5aに格納されている天気図画像Ａには、例えば午後９時０分という特定時刻の０分から開始して１０分が経過する毎に設定した出現時刻の各々において出現する気圧配置を画像表示してある。
目印画像サーバ5bに格納されている目印画像Ｂには、午前０時０分から開始して１０分が経過する毎の出現時刻を示す時刻目印３(3a,3b)を表示してある。
【００５４】
時刻目印３は、仮想の時針9aが指す位置に表示される太くて短い棒状の時針用目印3aと、仮想の分針9bが指す位置に表示される時針用目印3aよりも細くて長い棒状の分針用目印3bとを組み合わせて表示してある。
【００５５】
そして、天気図画像Ａと、その気圧配置の出現時刻に対応する時刻目印３(3a,3b)を表示してある目印画像Ｂとを合成して、時針用目印3aと分針用目印3bが天気図画像Ａの画像領域a2の周辺部に重ねて表示されるように、テレビ受像機１に送信される送信用画像Ｃを作成してある。
【００５６】
図６に例示する送信用画像Ｃは、出現時刻が午後９時１０分の気圧配置を画像表示している天気図画像Ａと、仮想のアナログ表示式時計９の時針9aと分針9bが午後９時１０分を指しているときの当該時針9aと分針9bが指している位置に相当する位置の各々に時刻目印３(3a,3b)を表示してある目印画像Ｂとを合成することにより、午後９時１０分の出現時刻に対応して作成されている。
その他の構成は実施例１と同様である。
【実施例４】
【００５７】
図７は本発明の［実施例４］を示す。
本実施例では、天気図画像Ａの画像領域a2(表示画面1aの表示領域1b)の周辺部に沿って長い時刻目印３が表示されるように、テレビ受像機１に送信される送信用画像Ｃを示している。
時刻目印３の先端部3cは、仮想のアナログ表示式時計９の時針9aと分針9bとが出現時刻を指しているときの当該時針9aが指している位置に表示される。
【００５８】
本実施例で示す送信用画像Ｃをテレビ受像機１に送信することにより、天気図画像Ａを見る際の邪魔になりにくい天気図画像Ａ(表示画面1a)の周辺部に沿って長い時刻目印３を目立つように表示することができるので、天気図画像Ａを見ている人に時刻目印３の動きを察知させ易い。
【００５９】
図７に例示する時刻目印３は、出現時刻が午後９時０分であることを先端部3cが示しており、天気図画像Ａが気圧配置の出現時刻順に表示されるに伴って、その先端部3cが時計回りで移動する。
【００６０】
なお、図示しないが、気圧配置を分単位の出現時刻順で画像表示する天気図画像Ａと、対応する出現時刻を示す時刻目印３を表示する目印画像Ｂとを合成して、時刻目印３の先端部3cが仮想の分針9bが示す位置に表示される送信用画像Ｃを作成し、その先端部3cの位置により出現時刻を分単位で示してもよい。
その他の構成は実施例１と同様である。
【実施例５】
【００６１】
図８は本発明の［実施例５］を示す。
本実施例における天気図画像Ａは、例えば午前０時０分という特定時刻の０分から開始して３時間が経過する時刻毎に、その開始時刻から終了時刻までの３時間の時間帯を出現時刻として設定し、それらの時間帯の各々において出現する予想気圧配置とその出現時間帯を文字で示す文字画像a1とを地図に重ねて画像表示してある。
【００６２】
本実施例における目印画像Ｂは、午前０時０分から開始して３時間が経過するまでの時間帯毎に、仮想のアナログ表示式時計９の時針9aが時間帯の開始時刻を指す位置に相当する位置から終了時刻を指す位置に相当する位置に亘って連続する白抜き帯状の時刻目印３を表示してある。
【００６３】
そして、天気図画像Ａと、その気圧配置の出現時刻(時間帯)に対応する目印画像Ｂとを合成して、帯状の時刻目印３が天気図画像Ａの周辺部に重ねて表示されるように、テレビ受像機１に送信される送信用画像Ｃを作成してある。
【００６４】
図８は、出現時刻が午前６時０分から午前９時０分までの３時間の時間帯である場合に、仮想の時針9aがその時間帯を移動する範囲に白抜き帯状の時刻目印３を天気図画像Ａの周辺部に沿って表示する送信用画像Ｃを例示している。
その他の構成は実施例１と同様である。
【実施例６】
【００６５】
図９,図１０は本発明の［実施例６］を示す。
本実施例における天気図画像Ａは、図９に例示するように、画像領域a2がテレビ受像機１の表示画面1aの表示領域1bよりも小さく、画像領域a2の全体が表示領域1bの周縁から間隔を隔てて内側に表示される。
【００６６】
目印画像Ｂは、図１０に示すように、表示画面1aの表示領域1bの全体を文字板と見なす仮想のアナログ表示式時計９の時針9aと分針9bが出現時刻を指しているときの当該時針9aが指している位置に相当する位置であって、表示領域1bの周辺部に相当する位置に時刻目印３が表示されている。
【００６７】
そして、天気図画像Ａと、その気圧配置の出現時刻に対応する目印画像Ｂとを合成して、時刻目印３が表示領域1bの周辺部であって画像領域a2の外側に表示されるように、テレビ受像機１に送信される送信用画像Ｃを作成してある。
なお、時刻目印３が表示領域1bの周辺部と画像領域a2の周辺部とに跨って表示されてもよい。
【００６８】
図示しないが、本実施例において、テレビスタジオなどに設置してあるモニター表示画面に天気図画像Ａを映しながら、その天気図画像Ａを映しているモニター表示画面をテレビカメラで撮影することにより、画像領域a2がテレビ受像機１の表示画面1aの表示領域1bよりも小さい天気図画像Ａを作成し、その天気図画像Ａと、その気圧配置の出現時刻に対応する目印画像Ｂとを合成して、時刻目印３が表示領域1bの周辺部に表示されるように、テレビ受像機１に送信される送信用画像Ｃを作成してもよい。
【００６９】
この場合は、テレビ受像機１の表示画面1aに映し出されるモニター表示画面の大きさにかかわらず、時刻目印３をテレビ受像機１の表示画面1aに一定の大きさで明確に表示することができる。
その他の構成は実施例１と同様である。
【実施例７】
【００７０】
図示しないが、実施例１〜６において、天気図画像Ａを見る上での大きな支障にならない(視認性を損なわない)表示形式であれば、仮想のアナログ表示式時計９の時針9aや分針9bを天気図画像Ａの画像領域a2や表示画面1aの表示領域1bに表示してもよい。
【００７１】
この場合、表示した仮想のアナログ表示式時計９の時針9aや分針9bが、棒状の時刻目印３に加えて別の時刻目印３として機能するものであっても、棒状の時刻目印３に代えて時刻目印３として機能するものであってもよい。
その他の構成は実施例１と同様である。
(その他の実施例）
【００７２】
１．本発明は、テレビスタジオなどに設置してあるモニター表示画面に実施例１〜７のいずれかで示した送信用画像を出現時刻順に映しながら、その送信用画像を映しているモニター表示画面をテレビカメラで撮影して、撮影した画像を端末装置に送信する形態で実施してもよい。
２．本発明は、時刻目印を現象画像の周辺部よりも内側の画像領域に表示する形態で実施してもよい。
３．本発明は、時間経過に伴って秒単位で大きく変化する現象画像を送信する場合、時刻目印が、時針と分針と秒針とを指針として備えた仮想のアナログ表示式時計が出現時刻を指しているときの当該指針のうちの秒針が指している位置に表示されるように、現象画像を端末装置に送信する形態で実施してもよい。
４．本発明は、時刻目印が、仮想のアナログ表示式時計の指針が出現時刻を指しているときの分針が指している位置にのみ表示され、時針が指している時間単位の値は文字で表示する形態で実施してもよい。
５．本発明は、時刻目印が、仮想のアナログ表示式時計の指針が出現時刻を指しているときの秒針が指している位置にのみ表示され、時針が指している時間単位の値及び分針が指している分単位の値は文字で表示する形態で実施してもよい。
６．本発明は、時刻目印として、午前の時刻であることを示す午前用時刻目印と午後の時刻であることを示す午後用時刻目印とを、互いに異なる形状や表示色、表示形式などで表示する形態で実施してもよい。
７．本発明は、時刻目印として、昼間の時刻であることを示す昼間用時刻目印と夜間の時刻であることを示す夜間用時刻目印とを、互いに異なる形状や表示色、表示形式などで表示する形態で実施してもよい。
８．本発明は、現象画像が現象の出現時刻順に表示されるタイミングに合わせて時刻目印を点滅させたり表示色を変えるなどの変化を伴って表示する形態で実施してもよい。
９．本発明は、現象画像を端末装置の表示画面の全面に亘って表示する形態で実施しても、表示画面の一部に表示する形態で実施してもよい。
現象画像を表示画面の一部に表示する形態で実施するときは、表示画面の表示領域の全体を文字板と見なす仮想のアナログ表示式時計の指針が出現時刻を指している位置に時刻目印が表示されるように現象画像を端末装置に送信すれば、表示画面に表示される現象画像の大きさにかかわらず、時刻目印を一定の大きさで明確に表示し易い。
１０．本発明は、気圧配置(気圧分布)、天気分布、気温分布、日照分布、降水量分布、雲(雨雲)の分布や動き、台風の進路予想などの気象に関する自然現象を地図に重ねて画像表示してある現象画像だけでなく、植物の発芽や開花、成長などに関する自然現象を画像表示してある現象画像、或いは、道路や観光地の渋滞予測などに関する非自然現象を地図に重ねて画像表示してある現象画像を端末装置に送信する形態で実施してもよい。
１１．本発明は、過去に出現した現象を含む実況現象を画像表示してある現象画像を端末装置に送信する形態で実施しても、時間経過に伴う現象の変化を予想する予想現象を画像表示してある現象画像を端末装置に送信する形態で実施してもよい。
１２．本発明は、現象画像と時刻目印が端末装置の表示画面にアニメーション動画形式で表示されるように、現象画像を端末装置に送信する形態で実施してもよい。
１３．本発明は、現象画像を端末装置に有線で送信する形態で実施してもよい。
１４．本発明は、現象画像が携帯電話機、スマートフォンなどの携帯式端末装置やコンピュータ装置、テレビスタジオに設置されたモニター装置などの固定式端末装置の表示画面に表示されるように、現象画像を端末装置に送信する形態で実施してもよい。
１５．本発明は、現象画像が端末装置の表示画面に現象の出現時刻順に表示されるように、端末装置に送信される送信用画像であって、現象の出現時刻を示す時刻目印が、表示画面の表示領域中の位置であって、現象画像の画像領域又は前記表示画面の表示領域を文字板と見なす仮想のアナログ表示式時計の指針が出現時刻を指しているときの当該指針が指している位置に表示されるように、端末装置に送信される送信用画像をシステム外部において作成し、その作成された送信用画像をシステム内部に取り込んで端末装置に送信する形態で実施してもよい。
【符号の説明】
【００７３】
Ａ  現象画像(天気図画像)
a2  画像領域
１  端末装置(テレビ受像機)
1a  表示画面
1b  表示領域
３  時刻目印
９  仮想のアナログ表示式時計
9a,9b  指針
【図１】
0006347395.tif 000002
【図２】
0006347395.tif 000003
【図３】
0006347395.tif 000004
【図４】
0006347395.tif 000005
【図５】
0006347395.tif 000006
【図６】
0006347395.tif 000007
【図７】
0006347395.tif 000008
【図８】
0006347395.tif 000009
【図９】
0006347395.tif 000010
【図１０】
0006347395.tif 000011